(57)【要約】  環境の特定の領域において使用するためのモバイルデバイス向けの推奨候補位置決定モードを生成するために電子デバイスによって使用される様々な方法、装置および／または製造物品が提供される。そのような候補位置決定モードは、例えば、地上ベース送信デバイスによって送信された第１のワイヤレス信号に基づく第１のワイヤレス信号ベース測位モードと、第２のワイヤレス信号に基づく第２のワイヤレス信号ベース測位モードが衛星ベース送信デバイスを送信した、第１のワイヤレス信号および第２のワイヤレス信号の組合せに基づく第３のワイヤレス信号ベース測位モードとを少なくとも備える複数のワイヤレス信号ベース測位モードから選択され得る。いくつかの例示的な実施形態では、少なくとも候補位置決定モードを示す支援データがモバイルデバイスに送信され得る。【選択図】図３
2016517665.tif 000002
【特許請求の範囲】
【請求項１】
電子デバイスにより、
モバイルデバイスによってナビゲート可能な環境に対応する複数の領域のうちの少なくとも１つのために、前記複数の領域のうちの１つに近接または存在することに少なくとも部分的に基づいて、前記モバイルデバイスによって使用される候補位置決定モードを決定することと、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記モバイルデバイスに支援データを送信することと、前記支援データは少なくとも前記候補位置決定モードを示すものである、
を備える方法。
【請求項２】
前記候補位置決定モードは、前記複数の領域のうちの前記少なくとも１つを示す、請求項１に記載の方法。
【請求項３】
前記候補位置決定モードは、前記複数の領域のうちの前記少なくとも１つの少なくとも一部分に対応するジオフェンス境界を示す、請求項２に記載の方法。
【請求項４】
前記候補位置決定モードは、前記候補位置決定モード、前記複数の領域のうちの前記少なくとも１つ、前記地上ベース送信デバイス、前記衛星ベース送信デバイス、および／または前記モバイルデバイスのうちの少なくとも１つに対応する条件付き属性を示す、請求項１に記載の方法。
【請求項５】
前記電子デバイスにより、
前記環境の少なくとも一部分に対応する電子マップに少なくとも部分的に基づいて前記複数の領域を決定すること
をさらに備える、請求項１に記載の方法。
【請求項６】
前記複数の領域のうちの前記少なくとも１つは、
構造特徴関連識別子、
ノード関連識別子
環境関連識別子、および／または
ロケーションコンテキスト識別子（ＬＣＩ）
のうちの少なくとも１つに少なくとも部分的に基づいて識別される、請求項５に記載の方法。
【請求項７】
前記複数の領域のうちの前記少なくとも１つは、
前記地上ベース送信デバイスに対応する第１のサービス関連識別子、
前記衛星ベース送信デバイスに対応する第２のサービス関連識別子、および／または
前記モバイルデバイスに対応するモバイルデバイス能力関連識別子
のうちの少なくとも１つに少なくとも部分的に基づいて識別される、請求項１に記載の方法。
【請求項８】
前記複数の領域のうちの前記少なくとも１つは、前記環境に関する複数のモバイルデバイスに対応する少なくとも１つの過去のナビゲーション観測値および／または少なくとも１つの過去のシグナリング観測値に少なくとも部分的に基づいて識別される、請求項１に記載の方法。
【請求項９】
前記候補位置決定モードを決定することは、
構造特徴関連識別子、
ノード関連識別子
環境関連識別子、および／または
ロケーションコンテキスト識別子（ＬＣＩ）
のうちの少なくとも１つに少なくとも部分的に基づいて前記候補位置決定モードを決定することをさらに備える、請求項１に記載の方法。
【請求項１０】
前記候補位置決定モードを決定することは、
前記地上ベース送信デバイスに対応する第１のサービス関連識別子、
前記衛星ベース送信デバイスに対応する第２のサービス関連識別子、および／または
前記モバイルデバイスに対応するモバイルデバイス能力関連識別子
のうちの少なくとも１つに少なくとも部分的に基づいて前記候補位置決定モードを決定することをさらに備える、請求項１に記載の方法。
【請求項１１】
前記候補位置決定モードを決定することは、
複数のモバイルデバイスによって前記環境内に位置する間に収集されたワイヤレス信号観測値に少なくとも部分的に基づいて前記候補位置決定モードを決定すること
をさらに備える、請求項１に記載の方法。
【請求項１２】
前記電子デバイスにより、
少なくとも１つの他の電子デバイスから前記ワイヤレス信号観測値のうちの少なくとも１つを取得すること
のうちの少なくとも１つをさらに備える、請求項１１に記載の方法。
【請求項１３】
前記候補位置決定モードを備える前記支援データを求める前記モバイルデバイスから受信された要求に応答して、前記モバイルデバイスに前記支援データが送信される、請求項１に記載の方法。
【請求項１４】
前記要求は、前記モバイルデバイスの初期推定位置決定、および／または前記モバイルデバイスの初期推定コースのうちの少なくとも１つを示す、請求項１３に記載の方法。
【請求項１５】
前記要求は、前記モバイルデバイスによって収集された初期ワイヤレス信号観測値を示す、請求項１３に記載の方法。
【請求項１６】
前記要求は、前記モバイルデバイスに対応するモバイルデバイス能力関連識別子を示す、請求項１３に記載の方法。
【請求項１７】
前記候補位置決定モードを決定することは、前記モバイルデバイスの初期推定位置決定、および／または前記モバイルデバイスの初期推定コースのうちの少なくとも１つに少なくとも部分的に基づいて前記候補位置決定モードを決定することを備える、請求項１に記載の方法。
【請求項１８】
前記電子デバイスにより、
前記モバイルデバイスの前記初期推定位置決定、および／または前記モバイルデバイスの前記初期推定コースのうちの少なくとも１つを決定すること
をさらに備える、請求項１７に記載の方法。
【請求項１９】
前記環境の少なくとも一部分は混合環境を備え、前記混合環境は前記複数の領域のうちの前記少なくとも１つを備える、請求項１に記載の方法。
【請求項２０】
前記支援データはロケーションコンテキスト識別子に対応する、請求項１に記載の方法。
【請求項２１】
前記支援データは、電子マップ、注釈された電子マップ、ルーティング可能性グラフ、および／またはヒートマップを備える、請求項１に記載の方法。
【請求項２２】
前記地上ベース送信デバイスは、ワイヤレス通信ネットワークのアクセスポイントデバイスを備える、請求項１に記載の方法。
【請求項２３】
ネットワークインターフェースユニットと、
処理ユニットと
を備える電子デバイスであって、前記処理ユニットは、
モバイルデバイスによってナビゲート可能な環境に対応する複数の領域のうちの少なくとも１つのために、前記複数の領域のうちの１つに近接または存在することに少なくとも部分的に基づいて、モバイルデバイスによって使用される候補位置決定モードを決定することと、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記ネットワークインターフェースユニットを介した前記モバイルデバイスへの支援データの送信を開始することと、前記支援データは少なくとも前記候補位置決定モードを示すものである、
を行う、電子デバイス。
【請求項２４】
前記候補位置決定モードは、前記複数の領域のうちの前記少なくとも１つを示す、請求項２３に記載の電子デバイス。
【請求項２５】
前記候補位置決定モードは、前記複数の領域のうちの前記少なくとも１つの少なくとも一部分に対応するジオフェンス境界を示す、請求項２３に記載の電子デバイス。
【請求項２６】
前記候補位置決定モードは、前記候補位置決定モード、前記複数の領域のうちの前記少なくとも１つ、前記地上ベース送信デバイス、前記衛星ベース送信デバイス、および／または前記モバイルデバイスのうちの少なくとも１つに対応する条件付き属性を示す、請求項２３に記載の電子デバイス。
【請求項２７】
前記処理ユニットはさらに、
前記環境の少なくとも一部分に対応する電子マップに少なくとも部分的に基づいて前記複数の領域を決定する、請求項２３に記載の電子デバイス。
【請求項２８】
前記処理ユニットはさらに、
構造特徴関連識別子、ノード関連識別子、環境関連識別子、および／またはロケーションコンテキスト識別子（ＬＣＩ）のうちの少なくとも１つに少なくとも部分的に基づいて前記複数の領域を決定する、請求項２７に記載の電子デバイス。
【請求項２９】
前記処理ユニットはさらに、
前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに少なくとも部分的に基づいて前記複数の領域を決定する、請求項２３に記載の電子デバイス。
【請求項３０】
前記処理ユニットはさらに、
前記環境に関する複数のモバイルデバイスに対応する少なくとも１つの過去のナビゲーション観測値および／または少なくとも１つの過去のシグナリング観測値に少なくとも部分的に基づいて、前記複数の領域のうちの前記少なくとも１つを決定する、請求項２３に記載の電子デバイス。
【請求項３１】
前記処理ユニットはさらに、
構造特徴関連識別子、ノード関連識別子、環境関連識別子、および／またはロケーションコンテキスト識別子（ＬＣＩ）のうちの少なくとも１つに少なくとも部分的に基づいて前記候補位置決定モードを決定する、請求項２３に記載の電子デバイス。
【請求項３２】
前記処理ユニットはさらに、
前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに少なくとも部分的に基づいて前記候補位置決定モードを決定する、請求項２３に記載の電子デバイス。
【請求項３３】
前記処理ユニットはさらに、
複数のモバイルデバイスによって前記環境内に位置する間に収集されたワイヤレス信号観測値に少なくとも部分的に基づいて前記候補位置決定モードを決定する、請求項２３に記載の電子デバイス。
【請求項３４】
前記処理ユニットはさらに、
前記ネットワークインターフェースユニットを介して少なくとも１つの他の電子デバイスから前記ワイヤレス信号観測値のうちの少なくとも１つを取得する、請求項３３に記載の電子デバイス。
【請求項３５】
前記処理ユニットはさらに、
前記ネットワークインターフェースユニットを介して、前記候補位置決定モードを備える前記支援データを求める前記モバイルデバイスからの要求を取得することと、
前記要求に応答して、前記ネットワークインターフェースユニットを介した前記モバイルデバイスへの前記支援データの送信を開始することと
を行う、請求項２３に記載の電子デバイス。
【請求項３６】
前記要求は、前記モバイルデバイスの初期推定位置決定、および／または前記モバイルデバイスの初期推定コースのうちの少なくとも１つを示す、請求項３５に記載の電子デバイス。
【請求項３７】
前記要求は、前記モバイルデバイスによって収集された初期ワイヤレス信号観測値を示す、請求項３５に記載の電子デバイス。
【請求項３８】
前記要求は、前記モバイルデバイスに対応するモバイルデバイス能力関連識別子を示す、請求項３５に記載の電子デバイス。
【請求項３９】
前記処理ユニットはさらに、
前記モバイルデバイスの初期推定位置決定、および／または前記モバイルデバイスの初期推定コースのうちの少なくとも１つに少なくとも部分的に基づいて前記候補位置決定モードを決定する、請求項２３に記載の電子デバイス。
【請求項４０】
前記処理ユニットはさらに、
前記モバイルデバイスの前記初期推定位置決定、および／または前記モバイルデバイスの前記初期推定コースのうちの少なくとも１つを決定する、請求項３９に記載の電子デバイス。
【請求項４１】
前記環境の少なくとも一部分は混合環境を備え、前記混合環境は前記複数の領域のうちの前記少なくとも１つを備える、請求項２３に記載の電子デバイス。
【請求項４２】
前記支援データはロケーションコンテキスト識別子に対応する、請求項２３に記載の電子デバイス。
【請求項４３】
前記支援データは、電子マップ、注釈された電子マップ、ルーティング可能性グラフ、および／またはヒートマップを備える、請求項２３に記載の電子デバイス。
【請求項４４】
前記地上ベース送信デバイスは、ワイヤレス通信ネットワークのアクセスポイントデバイスを備える、請求項２３に記載の電子デバイス。
【請求項４５】
モバイルデバイスによってナビゲート可能な環境に対応する複数の領域のうちの少なくとも１つのために、
前記複数の領域のうちの１つに近接または存在することに少なくとも部分的に基づいて、前記モバイルデバイスによって使用される候補位置決定モードを決定するための手段と、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記モバイルデバイスに支援データを送信するための手段と、前記支援データは少なくとも前記候補位置決定モードを示すものである、
を備える装置。
【請求項４６】
前記候補位置決定モードは、前記複数の領域のうちの前記少なくとも１つを示す、請求項４５に記載の装置。
【請求項４７】
前記候補位置決定モードは、前記複数の領域のうちの前記少なくとも１つの少なくとも一部分に対応するジオフェンス境界を示す、請求項４６に記載の装置。
【請求項４８】
前記候補位置決定モードは、前記候補位置決定モード、前記複数の領域のうちの前記少なくとも１つ、前記地上ベース送信デバイス、前記衛星ベース送信デバイス、および／または前記モバイルデバイスのうちの少なくとも１つに対応する条件付き属性を示す、請求項４５に記載の装置。
【請求項４９】
前記環境の少なくとも一部分に対応する電子マップに少なくとも部分的に基づいて前記複数の領域を決定するための手段
をさらに備える、請求項４５に記載の装置。
【請求項５０】
前記複数の領域を決定するための前記手段は、構造特徴関連識別子、ノード関連識別子、環境関連識別子、および／またはロケーションコンテキスト識別子（ＬＣＩ）のうちの少なくとも１つに少なくとも部分的に基づいて前記複数の領域を決定する、請求項４９に記載の装置。
【請求項５１】
前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに少なくとも部分的に基づいて前記複数の領域を決定するための手段
をさらに備える、請求項４５に記載の装置。
【請求項５２】
前記環境に関する複数のモバイルデバイスに対応する少なくとも１つの過去のナビゲーション観測値および／または少なくとも１つの過去のシグナリング観測値に少なくとも部分的に基づいて、前記複数の領域のうちの前記少なくとも１つを決定するための手段
をさらに備える、請求項４５に記載の装置。
【請求項５３】
前記候補位置決定モードを決定するための前記手段は、構造特徴関連識別子、ノード関連識別子、環境関連識別子、および／またはロケーションコンテキスト識別子（ＬＣＩ）のうちの少なくとも１つに少なくとも部分的に基づいて候補位置決定を決定する、請求項４５に記載の装置。
【請求項５４】
前記候補位置決定モードを決定するための前記手段は、前記地上ベース送信デバイスに対応する第１のサービス関連識別子、前記衛星ベース送信デバイスに対応する第２のサービス関連識別子、および／または前記モバイルデバイスに対応するモバイルデバイス能力関連識別子のうちの少なくとも１つに少なくとも部分的に基づいて候補位置決定を決定する、請求項４５に記載の装置。
【請求項５５】
前記候補位置決定モードを決定するための前記手段は、複数のモバイルデバイスによって前記環境内に位置する間に収集されたワイヤレス信号観測値に少なくとも部分的に基づいて候補位置決定を決定する、請求項４５に記載の装置。
【請求項５６】
少なくとも１つの他の電子デバイスから前記ワイヤレス信号観測値のうちの少なくとも１つを取得するための手段
をさらに備える、請求項５５に記載の装置。
【請求項５７】
前記候補位置決定モードを備える前記支援データを求める前記モバイルデバイスからの要求を受信するための手段
をさらに備え、
前記モバイルデバイスに支援データを送信するための前記手段は、前記要求に応答して前記モバイルデバイスに前記支援データを送信する、請求項４５に記載の装置。
【請求項５８】
前記要求は、前記モバイルデバイスの初期推定位置決定、および／または前記モバイルデバイスの初期推定コースのうちの少なくとも１つを示す、請求項５７に記載の装置。
【請求項５９】
前記要求は、前記モバイルデバイスによって収集された初期ワイヤレス信号観測値を示す、請求項５７に記載の装置。
【請求項６０】
前記要求は、前記モバイルデバイスに対応するモバイルデバイス能力関連識別子を示す、請求項５７に記載の装置。
【請求項６１】
前記候補位置決定モードを決定するための前記手段は、前記モバイルデバイスの初期推定位置決定、および／または前記モバイルデバイスの初期推定コースのうちの少なくとも１つに少なくとも部分的に基づいて候補位置決定を決定する、請求項４５に記載の装置。
【請求項６２】
前記モバイルデバイスの前記初期推定位置決定、および／または前記モバイルデバイスの前記初期推定コースのうちの少なくとも１つを決定するための手段
をさらに備える、請求項６１に記載の装置。
【請求項６３】
前記環境の少なくとも一部分は混合環境を備え、前記混合環境は前記複数の領域のうちの前記少なくとも１つを備える、請求項４５に記載の装置。
【請求項６４】
前記支援データはロケーションコンテキスト識別子に対応する、請求項４５に記載の装置。
【請求項６５】
前記支援データは、電子マップ、注釈された電子マップ、ルーティング可能性グラフ、および／またはヒートマップを備える、請求項４５に記載の装置。
【請求項６６】
前記地上ベース送信デバイスは、ワイヤレス通信ネットワークのアクセスポイントデバイスを備える、請求項４５に記載の装置。
【請求項６７】
処理ユニットによって、モバイルデバイスによってナビゲート可能な環境に対応する複数の領域のうちの少なくとも１つのために、
前記複数の領域のうちの１つに近接または存在することに少なくとも部分的に基づいて、前記モバイルデバイスによって使用される候補位置決定モードを決定することと、前記候補位置決定モードは、
地上ベース送信デバイスによって送信された第１のワイヤレス信号に基づく第１のワイヤレス信号ベース測位モードと、
衛星ベース送信デバイス送信された第２のワイヤレス信号に基づく第２のワイヤレス信号ベース測位モードと、
前記第１のワイヤレス信号および前記第２のワイヤレス信号の組合せに基づく第３のワイヤレス信号ベース測位モードと
を少なくとも備える複数のワイヤレス信号ベース測位モードから選択されるものである、
前記モバイルデバイスへの支援データの送信を開始することと、前記支援データは少なくとも前記候補位置決定モードを示すものである、
を行うために実行可能なコンピュータ実施可能命令を記憶した非一時的コンピュータ可読媒体
を備える物品。
【請求項６８】
前記候補位置決定モードは、前記複数の領域のうちの前記少なくとも１つを示す、請求項６７に記載の物品。
【請求項６９】
前記候補位置決定モードは、前記複数の領域のうちの前記少なくとも１つの少なくとも一部分に対応するジオフェンス境界を示す、請求項６８に記載の物品。
【請求項７０】
前記候補位置決定モードは、前記候補位置決定モード、前記複数の領域のうちの前記少なくとも１つ、前記地上ベース送信デバイス、前記衛星ベース送信デバイス、および／または前記モバイルデバイスのうちの少なくとも１つに対応する条件付き属性を示す、請求項６７に記載の物品。
【請求項７１】
前記コンピュータ実施可能命令は、前記処理ユニットによって、
前記環境の少なくとも一部分に対応する電子マップに少なくとも部分的に基づいて前記複数の領域を決定する
ためにさらに実行可能である、請求項６７に記載の物品。
【請求項７２】
前記コンピュータ実施可能命令は、前記処理ユニットによって、
前記環境に関する複数のモバイルデバイスに対応する少なくとも１つの過去のナビゲーション観測値および／または少なくとも１つの過去のシグナリング観測値に少なくとも部分的に基づいて、前記複数の領域のうちの前記少なくとも１つを決定する
ためにさらに実行可能である、請求項６７に記載の物品。
【請求項７３】
前記コンピュータ実施可能命令は、前記処理ユニットによって、
複数のモバイルデバイスによって前記環境内に位置する間に収集されたワイヤレス信号観測値に少なくとも部分的に基づいて前記候補位置決定モードを決定する
ためにさらに実行可能である、請求項６７に記載の物品。
【請求項７４】
前記コンピュータ実施可能命令は、前記処理ユニットによって、
前記候補位置決定モードを備える前記支援データを求める前記モバイルデバイスからの要求を取得することと、
前記要求に応答して、前記モバイルデバイスへの前記支援データの送信を開始することと
を行うためにさらに実行可能である、請求項６７に記載の物品。
【請求項７５】
前記環境の少なくとも一部分は混合環境を備え、前記混合環境は前記複数の領域のうちの前記少なくとも１つを備える、請求項６７に記載の物品。
【発明の詳細な説明】
【関連出願】
【０００１】
本出願は、「ＳＥＲＶＥＲ−ＢＡＳＥＤ  ＭＯＢＩＬＥ  ＤＥＶＩＣＥ  ＲＥＧＩＯＮＡＬ  ＣＡＮＤＩＤＡＴＥ  ＰＯＳＩＴＩＯＮ  ＦＩＸ  ＭＯＤＥ  ＳＥＬＥＣＴＩＯＮ」と題する２０１３年３月１２日に出願された米国非仮特許出願第１３／７９７，６０９号の優先権を主張するＰＣＴ出願であって、参照によりその全体が本明細書に組み込まれる。
【技術分野】
【０００２】
[0001]本明細書で開示する主題は、電子デバイスに関し、より詳細には、環境の特定の領域において使用するためのモバイルデバイス向けの推奨候補位置決定モードを生成するために電子デバイスによって使用される方法、装置および製造物品に関する。
【背景技術】
【０００３】
[0002]  全地球測位システム(ＧＰＳ）および他の同様の衛星測位システム(ＳＰＳ）は、屋外環境におけるモバイルデバイスのための測位およびナビゲーションサービスを可能にした。衛星信号は屋内環境で容易に受信されず、ゆえに獲得されないことがあるので、ナビゲーションサービスを可能にするために異なるワイヤレス信号ベース測位技法が用いられ得る。例えば、モバイルデバイスは、既知のロケーションにおいて測位される１つまたは複数の地上ベースワイヤレスネットワークアクセスポイントデバイスまでの距離(ranges)を、複数の送信デバイスから獲得された、および／またはこれら送信デバイスと交換された１つまたは複数のワイヤレス信号に基づいて推定することによって、位置決定を取得することを求め得る。そのような距離は、例えば、送信デバイスのロケーションをそのような複数の送信デバイスから獲得されたワイヤレス信号から識別するために使用され得るＭＡＣ  ＩＤアドレスまたは他の同様の情報を取得し、例えば、ほんの数例を挙げると、受信信号強度(ＲＳＳＩ：received signal strength）、往復時間(ＲＴＴ：round trip time)など、送信デバイスまでの距離を推定するために使用され得るワイヤレス信号の１つまたは複数の特性を測定することによって測定され得る。
【０００４】
[0003]  いくつかの事例では、異なる環境にモバイルデバイスがあった間に取得された他の測定値とは異なる、ある特定の環境にモバイルデバイスがある間に取得されたいくつかの測定値をモバイルデバイス内の測位機能が処理できる。従って、例えば、屋内対屋外など、モバイルデバイスが位置し得る環境のタイプをモバイルデバイスが把握することは有用であり得る。さらに、諒解され得るように、例えば、遮られている場合対遮られていない場合、マルチレベル対単一レベルなど、異なるシグナリング、測定、プロセスなどに対応し得る異なるタイプの屋内環境があり得る。同様に、例えば、全地球ＳＰＳ(ＧＮＳＳ）によってサービスされる屋外環境、全地球ＳＰＳのほか、地域ＳＰＳ(例えば、中国の北斗地域システム(China’s Beidou regional system)、インド地域航法衛星システム(ＩＲＮＳＳ：Indian Regional Navigational Satellite System）など）によってもサービスされ得る屋外環境など、異なるタイプの屋外環境があり得る。
【０００５】
[0004]  しかしながら、諒解され得るように、いくつかの信号ベース測位技法を行うことを試みる方法または時をモバイルデバイスが決定することは、時には難しいことがある。
【発明の概要】
【０００６】
[0005]  いくつかの態様によれば、電子デバイスにおいて使用するための方法が提供され得る。例えば、そのような方法は、モバイルデバイスによってナビゲート可能な環境に対応する複数の領域のうちの少なくとも１つのために、前記複数の領域のうちの１つに近接または存在することに少なくとも部分的に基づいて、モバイルデバイスによって使用される候補位置決定モードを決定することを備え得る。そのような候補位置決定モードは、地上ベース送信デバイスによって送信された第１のワイヤレス信号に基づく第１のワイヤレス信号ベース測位モード(wireless signal-based positioning mode)と、衛星ベース送信デバイス送信された第２のワイヤレス信号に基づく第２のワイヤレス信号ベース測位モードと、第１のワイヤレス信号および第２のワイヤレス信号の組合せに基づく第３のワイヤレス信号ベース測位モードとを少なくとも備える複数のワイヤレス信号ベース測位モードから選択されるものである。そのような方法は、モバイルデバイスに支援データを送信することをさらに備えることができ、支援データは少なくとも候補位置決定モードを示す。
【０００７】
[0006]  また別の態様によれば、ネットワークインターフェースと処理ユニットとを備える電子デバイスが提供されてよく、処理ユニットは、モバイルデバイスによってナビゲート可能な環境に対応する複数の領域のうちの少なくとも１つのために、前記複数の領域のうちの１つに近接または存在することに少なくとも部分的に基づいて、モバイルデバイスによって使用される候補位置決定モードを決定することと、この候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、第１のワイヤレス信号および第２のワイヤレス信号の組合せに基づく第３のワイヤレス信号ベース測位モードとを少なくとも備える複数のワイヤレス信号ベース測位モードから選択されるものであり、ネットワークインターフェースユニットを介したモバイルデバイスへの支援データの送信を開始することと、この支援データは少なくとも候補位置決定モードを示すものである、を行う。
【０００８】
[0007]  さらに他の態様によれば、モバイルデバイスによってナビゲート可能な環境に対応する複数の領域のうちの少なくとも１つのために、前記複数の領域のうちの１つに近接または存在することに少なくとも部分的に基づいて、モバイルデバイスによって使用される候補位置決定モードを決定するための手段と、この候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、第１のワイヤレス信号および第２のワイヤレス信号の組合せに基づく第３のワイヤレス信号ベース測位モードとを少なくとも備える複数のワイヤレス信号ベース測位モードから選択されるものであり、モバイルデバイスに支援データを送信するための手段と、この支援データは少なくとも候補位置決定モードを示すものである、を備える装置が提供され得る。
【０００９】
[0008]  さらに別の態様によれば、処理ユニットによって、モバイルデバイスによってナビゲート可能な環境に対応する複数の領域のうちの少なくとも１つのために、前記複数の領域のうちの１つに近接または存在することに少なくとも部分的に基づいて、モバイルデバイスによって使用される候補位置決定モードを決定することと、この候補位置決定モードは、地上ベース送信デバイスによって送信された第１のワイヤレス信号に基づく第１のワイヤレス信号ベース測位モードと、衛星ベース送信デバイス送信された第２のワイヤレス信号に基づく第２のワイヤレス信号ベース測位モードと、第１のワイヤレス信号および第２のワイヤレス信号の組合せに基づく第３のワイヤレス信号ベース測位モードとを少なくとも備える複数のワイヤレス信号ベース測位モードから選択されるものであり、モバイルデバイスへの支援データの送信を開始することと、この支援データは少なくとも候補位置決定モードを示すものである、を行うために実行可能なコンピュータ実施可能命令を記憶した非一時的コンピュータ可読媒体を備える製造物品が提供され得る。
【００１０】
[0009]  以下の図を参照して非限定的で非網羅的な態様について説明し、ここにおいて、別段の規定がない限り、様々な図の全体を通して、同様の参照番号が同様の部分を指す。
【図面の簡単な説明】
【００１１】
【図１】例示的な実施形態による、環境の特定の領域において使用するための推奨候補位置決定モードを決定し、モバイルデバイスに送信するための少なくとも１つの電子デバイスを含む代表的な電子デバイスの構成を示す概略ブロック図である。
【図２】例示的な実施形態による、環境の特定の領域において使用するための推奨候補位置決定モードを決定し、モバイルデバイスに送信することが可能な少なくとも１つの電子デバイスに対応する例示的な情報フローを備える図である。
【図３】例示的な実施形態による、環境の特定の領域において使用するための推奨候補位置決定モードを決定し、モバイルデバイスに送信するための電子デバイス内で実施され得る例示的なプロセスを示す流れ図である。
【図４】例示的な実施形態による、環境の特定の領域において使用するための推奨候補位置決定モードを決定し、モバイルデバイスに送信するための例示的な電子デバイスのいくつかの特徴を示す概略図である。
【発明を実施するための形態】
【００１２】
[0014]  述べたように、モバイルデバイスは、１つまたは複数の測位機能を行う際に使用するためのワイヤレス信号を獲得することを試み得る。例えば、いくつかの屋外環境などのいくつかの環境では、該当する数の衛星ベース送信デバイスからのワイヤレス信号が、モバイルデバイスのための位置決定を推定するために獲得され処理され得る。残念ながら、いくつかの屋内環境などのいくつかの環境では、モバイルデバイスが、例えば干渉、減衰などのために、そのような衛星ベース送信デバイスからの十分なワイヤレス信号を獲得できないこと、またはもしかするとそのようなワイヤレス信号をまったく獲得できないこともある。それでも、いくつかのロケーションでは、例えば屋内環境内で、モバイルデバイスが、それの位置決定を推定するために、該当する数の地上ベース送信デバイスからワイヤレス信号を獲得することが可能なことがある。そのようなワイヤレス信号を獲得および／または処理するためにモバイルデバイスによって使用される技法は異なり得るので、最初にどの技法を試みるべきかをモバイルデバイスが事前に把握することは有用なはずである。
【００１３】
[0015]  さらに、諒解され得るように、ワイヤレス信号の伝搬および獲得は伝統的な屋内および屋外の境界に常に従うとは限らない。従って、例えば、いくつかの状況では、１つまたは複数の衛星ベース送信デバイスによって送信された１つまたは複数のワイヤレス信号が、モバイルデバイスによって、屋内環境に位置する間に獲得され得る。同様に、例えば、いくつかの状況では、１つまたは複数の地上ベース送信デバイスによって送信された１つまたは複数のワイヤレス信号が、モバイルデバイスによって、屋外環境に位置する間に獲得され得る。
【００１４】
[0016]  このことを念頭に置いて、本明細書は、第３の一般的なタイプの環境、すなわち「混合」環境も考慮しており、そのような環境では、例えば、いくつかの事例下で、少なくとも１つの衛星ベース送信デバイスによって送信された少なくとも１つのワイヤレス信号および少なくとも１つの地上ベース送信デバイスによって送信された少なくとも１つのワイヤレス信号が、モバイルデバイスによって獲得され得る。従って、いくつかの屋内環境の全部または一部は、混合環境であると考えられ得る。例えば、屋根付きスタジアム(例えば、ＳＰＳ信号が十分に透過できる屋根構造を有し、地上ベース送信デバイスが用意されているもの）の全部または一部は、混合環境であると考えられ得る。いくつかの事例では、屋内環境と隣接屋外環境との間の境界の近くおよび／または周囲のエリアが、混合環境であると考えられ得る。従って、例えば、混合環境は、入口／出口、窓または他の開口部、いくつかのタイプの壁もしくは他の同様の物体、または壁もしくは他の同様の物体の部分の近くおよび／または周囲のエリアなどを備え得る。
【００１５】
[0017]  このことを念頭に置いて、屋内環境またはもしかするといくつかの混合環境において、モバイルデバイスは、時には、例えば屋内環境に位置するいくつかの地上ベース送信機から獲得されたワイヤレス信号から位置決定を取得するのに成功しやすくなり得る。一方、屋内エリアおよび／またはいくつかの混合環境におけるモバイルデバイスは、ワイヤレス信号を、それにのみ基づいて位置決定を取得するために十分な数の衛星ベース送信デバイスから確実に獲得することが可能でないことがある。いくつかの環境(例えば、いくつかの混合環境など）では、モバイルデバイスが、もしかすると位置決定を取得するために、モバイルデバイスが１つまたは複数の衛星ベース送信デバイスからの１つまたは複数のワイヤレス信号の獲得から取得された測定値を、１つまたは複数の地上ベース送信デバイスから獲得された１つまたは複数のワイヤレス信号の獲得から取得された測定値と組み合わせ得る、ハイブリッド測位技法を用いることを試み得る。
【００１６】
[0018]  様々な例により本明細書で提示する技法は、モバイルデバイスが現在あるか、または将来ある可能性がある環境の特定の領域に対応する１つまたは複数の推奨候補位置決定モードに基づいていくつかの信号ベース測位技法をモバイルデバイスが選択する際にモバイルデバイスに外部的に影響を及ぼし得ることを試みる方法、装置、および／または製造物品を介して実施され得る。従って、いくつかの事例では、推奨候補位置決定モードを実施すること、および／またはそうでなければいくつかの位置決定モードを回避することによって、モバイルデバイスは、ワイヤレス信号の探索プロセスを加速させることによって恩恵を受けることができ、これは電力消費をさらに低減し得る。
【００１７】
[0019]  図１に注目すると、図１は、装置１０４を備えるモバイルデバイス１０２を含む、様々な代表的な電子デバイスを備える例示的な構成１００を示す概略ブロック図である。図示のように、モバイルデバイス１０２は、環境１０８の領域１０６内に位置する。ここでは、例えば、領域１０６および／または環境１０８の全部または一部が、様々なタイプの屋内環境、様々なタイプの屋外環境、および／または様々なタイプの過渡的環境を表し得る。従って、本明細書で使用する「環境」という用語は、屋内環境を少なくとも備える環境を表すものとする。そのため、例えば、本明細書で使用する「環境」は、屋内環境と、もしかすると１つまたは複数の混合環境および／または屋外環境とを備え得る。従って、例えば、本明細書で使用する「環境」は複数の領域を備えることができ、これらの領域のうちの少なくとも１つの少なくとも一部分は、屋内環境の少なくとも一部分に対応する。よって、例えば、いくつかの事例では、「環境」が、屋内環境の少なくとも一部分に対応する第１の領域と、少なくとも、同じもしくは別の屋内環境の同じもしくは別の部分、屋外環境の全部もしくは一部、混合環境の全部もしくは一部、および／またはそれらの何らかの組合せに対応し得る第２の領域とを備え得る。
【００１８】
[0020]  本明細書で使用する「モバイルデバイス」は、環境内でユーザおよび／または何らかの機構によって直接的または間接的に動き回されることがあり、１つまたは複数のワイヤードおよび／またはワイヤレス通信リンクを介して１つまたは複数の他のデバイスと通信し得る任意の電子デバイスを表し得る。いくつかの例としては、セルフォン、スマートフォン、コンピュータ(例えば、ラップトップコンピュータ、タブレットコンピュータ、ウェアラブルコンピュータなどのようなパーソナルコンピュータ）、ナビゲーションエイド、トラッキングデバイス、デジタルブックリーダー、ゲームデバイス、音楽および／またはビデオプレーヤデバイス、カメラ、機械、ロボットなどがある。
【００１９】
[0021]  構成１００は、ここで、１つまたは複数のワイヤレス信号１１４を送信することが可能な１つまたは複数の衛星測位システム(ＳＰＳ）１１０の１つまたは複数の宇宙ビークル(ＳＶ）１１２によって表される複数の衛星ベース送信デバイスをさらに備える。
【００２０】
[0022]  構成１００は、ある事例で、１つまたは複数のワイヤレス信号１２４を送信することが可能な１つまたは複数のワイヤレス通信ネットワーク１２０の１つまたは複数のアクセスポイントデバイス(ＡＰ１２２）によって表される複数の地上ベース送信デバイスをさらに備える。別の事例では、複数の地上ベース送信デバイスが、１つまたは複数のワイヤレス信号１３４を送信することが可能な１つまたは複数のロケーションベースサービスネットワーク１３０の１つまたは複数の送信デバイス(ＴＤ）１３２によって表されるものとして示されている。諒解され得るように、モバイルデバイス１０２は、いくつかの事例で、例えば、環境１０８、領域１０６、モバイルデバイス１０２、送信デバイスのうちの１つまたは複数などに関係する様々な要素に応じて、ワイヤレス信号１１４、１２４および／または１３４のうちの１つまたは複数を獲得すること、または獲得しないことがある。
【００２１】
[0023]  構成１００は、装置１４２を備える代表的な電子デバイス１４０をさらに備える。電子デバイス１４０は、時には通信リンク１４４を介してモバイルデバイス１０２と通信する１つまたは複数のデバイスを表すものとする。いくつかの例示的な実施形態で、通信リンク１４４は、装置１４２がある種の支援データ１４６をモバイルデバイス１０２に送信および提供できるようにする１つまたは複数のワイヤードおよび／またはワイヤレス通信リンクを表す。いくつかの例示的な実施形態で、通信リンク１４４は、装置１０４がある種の情報(例えば、支援データを求める要求、フィードバック情報など）を電子デバイス１４０に送信できるようにする１つまたは複数のワイヤードおよび／またはワイヤレス通信リンクを表す。
【００２２】
[0024]  そのようにして、通信リンク１４４は、１つもしくは複数のワイヤードおよび／もしくはワイヤレス通信ネットワーク（例えば、セルラー電話ネットワーク、ワイヤレスエリアネットワーク、イントラネットおよび／もしくはインターネットの全部もしくは一部など）、１つもしくは複数の該当する通信デバイス（例えば、スイッチ、ルータ、データ記憶デバイス、ワイヤレス送信デバイス、海底ケーブル設備など）、１つもしくは複数の該当する電子デバイス（例えば、サーバ、データ記憶デバイスなど）など、またはそれらの何らかの組合せを表し得る。
【００２３】
[0025]  本明細書で提示するように、モバイルデバイス１０２が少なくとも３つの異なるワイヤレス信号ベース測位モードのうちの少なくとも１つにおいて選択的に動作することが可能であることが想定されている。いくつかの例示的な実施形態では、装置１０４が、例えば、支援データ１４６に少なくとも部分的に基づいて、ワイヤレス信号ベース測位モードの選択に影響を与え得る。いくつかの例では、特定のワイヤレス信号ベース測位モードが、少なくとも、モバイルデバイス１０２によって行われる１つまたは複数の測位機能に影響を与え得る。
【００２４】
[0026]  例として、いくつかの実施形態では、モバイルデバイス１０２が、１つまたは複数の地上ベース送信デバイス(ＡＰ１２２、ＴＤ１３２）によって送信されたいくつかのワイヤレス信号(１２４、１３４）をモバイルデバイス１０２が獲得する(または獲得することを試みる）、(第１の）ワイヤレス信号ベース測位モードにおいて選択的に動作することが可能であり得る。ここでは、例えば、地上ベース送信デバイスが、ワイヤレス通信ネットワーク１２０(セルラー電話システムなどを備え得る）、ロケーションベース、ロケーションベースサービスネットワーク１３０(セルラー電話システムなどを備え得る）などまたはそれらの何らかの組合せの一部であり得る。いくつかの実施形態では、第１のワイヤレス信号ベース測位モードにおいて動作するとき、モバイルデバイス１０２が、地上ベース送信デバイスのうちの１つまたは複数にメッセージを送信することもできる。
【００２５】
[0027]  この例を続けると、いくつかの実施形態で、モバイルデバイス１０２は、１つまたは複数の衛星ベース送信デバイス(ＳＶ１１２）によって送信されたいくつかのワイヤレス信号１４をモバイルデバイス１０２が獲得する(または獲得することを試みる）、(第２の）ワイヤレス信号ベース測位モードにおいて選択的に動作することが可能であり得る。ここで、例えば、ＳＶ１１２はＳＰＳ１１０の一部であってよく、ＳＰＳ１１０の例は、ＧＮＳＳ(例えば、ＧＰＳ、Ｇａｌｉｌｅｏ、Ｇｌｏｎａｓｓなど）などまたはそれらの何らかの組合せを備え得る。
【００２６】
[0028]  再び、この例を続けると、いくつかの実施形態で、モバイルデバイス１０２は、１つまたは複数の地上ベース送信デバイス(例えば、例示的な第１のワイヤレス信号ベース測位モードにあるような）と１つまたは複数の衛星ベース送信デバイス(例えば、例示的な第２のワイヤレス信号ベース測位モードにあるような）とを備える送信デバイスの組合せによって送信されたいくつかのワイヤレス信号をモバイルデバイス１０２が獲得する(または獲得することを試みる）、(第３の）ワイヤレス信号ベース測位モードにおいて選択的に動作することが可能であり得る。従って、例えば、そのような第３のワイヤレス信号ベース測位モードは、「ハイブリッド」モードと呼ばれ得る。ここで、例えば、ハイブリッドモードは、１つまたは複数のワイヤレス通信ネットワークの１つまたは複数のアクセスポイントデバイスなど、並びに１つまたは複数のＳＰＳの１つまたは複数のＳＶによって送信されたワイヤレス信号(例えば、ワイヤレス信号１１４およびワイヤレス信号１２４／１３４のうちの１つまたは複数）を獲得すること、または獲得することを試みることを備え得る。
【００２７】
[0029]  特許請求する主題は、本明細書で提供される例に限定されるものとはしないことを認識されたい。実際、特定のワイヤレス信号ベース測位モードにおいて動作する間にモバイルデバイスによって行われる１つまたは複数の測位機能において様々な異なる技法(例えば、計時、測距、シグナリング、測定など）が用いられ得ることを当業者は認識されよう。既知であって進化し続けるそのような測位技法および／または機能の詳細は、本明細書の範囲を超えるものである。代わりに、本明細書は、モバイルデバイスが時には、特定のワイヤレス信号ベース測位モードを選択するように影響を受ける場合の様々な技法を示すものとする。
【００２８】
[0030]  このことを念頭に置いて、ここでより詳細に説明するように、電子デバイス１４０は、特定のワイヤレス信号ベース測位モードをモバイルデバイス１０２が選択する際にモバイルデバイス１０２に影響を与えるために（例えば、少なくとも部分的に装置１４２によって）供給され(provisioned)得る。本明細書で使用する「ワイヤレス信号ベース測位モード」という用語およびそれの短縮形「位置決定モード」は同義で使用される。
【００２９】
[0031]  位置決定モードをモバイルデバイス１０２が選択する際にモバイルデバイス１０２に影響を与えるための１つの方法は、モバイルデバイス１０２によってナビゲート可能である環境１０８内（例えば、ユーザが携帯しているとき、特定の車両／機械に取り付けられているときなど）の特定の識別された領域（例えば、領域１０６）「内に」ある(例えば、内で、で、近くで、もしかするとへ向かって進んで、もしかするとから離れて進んでなどの）ときにモバイルデバイス１０２によって使用される「候補位置決定モード」を識別することであり得る。
【００３０】
[0032]  このようにして、最初の例により、電子デバイス１４０は、例えば、屋内環境（例えば、建物）内の特定の領域を識別し、識別された領域内のモバイルデバイス１０２にとって特に有用であることがわかり得る候補位置決定モードを提案するために用意され得る。例えば、建物の内部の特定の領域が識別されることがあり、この場合には「地上」(第１の）位置決定モード(例えば、ＷＬＡＮベース位置決定モードなど）が候補位置決定モードとして提案されてよく、その理由は、建物の構造の減衰効果などのために衛星ベース送信デバイスによって送信されたワイヤレス信号１１４を特定の領域内のモバイルデバイス１０２が獲得することは困難であり得ることにある。しかしながら、そうした建物のいくつかの他の領域(例えば、それの外周近く、窓や入口近傍、開口近傍など）では、衛星ベース送信デバイスによって送信されたいくつかのワイヤレス信号１１４がモバイルデバイス１０２によって獲得され得る。従って、「ハイブリッド」(第３の）位置決定モードが候補位置決定モードとして提案されてよく、これはそのような領域内のモバイルデバイス１０２が地上ベース送信デバイスおよび衛星ベース送信デバイスの組合せからワイヤレス信号を獲得すること(例えば、１つまたは複数の対応するハイブリッド対応測位機能などによる使用のために）が有益であり得るからである。さらになお、そのような建物のいくつかの他の領域(例えば、アトリウム、バルコニー、屋上など）では、「衛星ベース」(第２の）位置決定モードが候補位置決定モードとして提案されてよく、これはそのような領域内のモバイルデバイスが、例えば、建物内のいくつかの他のエリア内での特定の使用のために供給され得る地上ベース送信デバイスでなく、衛星ベース送信デバイスからワイヤレス信号１１４を獲得することがより有益であり得るからである。しかしながら、いくつかのＳＰＳ信号が（例えば、１つまたは複数の建物などに反射した後に）見通し外経路（non-line-of-sight path）をたどる可能性が高い建物の周囲の近くにあり得るいくつかの領域（例えば、アトリウム、バルコニー、窓のある部屋など）の場合、候補位置決定モードは、（例えば、ＷｉＦｉ（登録商標）、ＷＬＡＮなどの信号を使用する）地上位置決定モードを推奨し得る。
【００３１】
[0033]  いくつかの例示的な実施形態では、電子デバイス１４０が、環境のいくつかの物理的特性、環境内のいくつかのシグナリング特性、該当する送信デバイスのいくつかの動作特性、該当するモバイルデバイスのいくつかの動作特性などに関係する１つまたは複数の要素をもしかすると含む様々な要素に基づいて、モバイルデバイス１０２によって使用される候補位置決定モードを決定できる。
【００３２】
[0034]  そのような要素／特性などのうちの１つまたは複数は、例えば、既知情報または仮定情報に基づいて取得、モデル化、推定などが行われ得る。例えば、環境のいくつかの物理的特性(例えば、構造特徴、レイアウト、ロケーションなど）は、ほんの数例を挙げると、環境の少なくとも一部分に対応する電子マップ、ルーティング可能性グラフなどにおける情報、環境の少なくとも一部分に関する動作エンティティにおける情報などに少なくとも部分的に基づき得る。
【００３３】
[0035]  代替または追加として、環境のいくつかの物理的特性および／または環境内のいくつかのシグナリング特性は、１つまたは複数のモバイルデバイスによって、そのような環境内でナビゲートしている間に収集された情報に少なくとも部分的に基づき得る。例えば、１つまたは複数のモバイルデバイスからの過去のナビゲーション観測値(historical signaling observations)および／または過去のシグナリング観測値(wireless signaling observations)が、環境の一部分の中における１つまたは複数の実際の物理的特性および／または推測可能な物理的特性を示し得る。実際、いくつかの例示的な実施形態では、候補位置決定モードおよび／または環境の１つもしくは複数の領域が、環境の少なくとも一部分に関する複数のモバイルデバイスに対応する過去のナビゲーション観測値および／または過去のシグナリング観測値に少なくとも部分的に基づいて決定されること、および／またはさもなければ選択されることがある。例えば、過去のナビゲーション観測値は、所与の環境内のモバイルデバイスの動きに関する、より一般的なルートまたはさほど一般的ではないルートなどを示し得る。従って、いくつかの事例では、該当する過去のナビゲーション観測値に少なくとも部分的に基づいて、そのような環境の１つまたは複数の領域を決定することが有益であり得る。別の例で、過去のシグナリング観測値は、いくつかの位置決定モードモードが、例えば、環境の特定の部分の中において、特定の期間時間などに関して、より有用である可能性またはさほど有用ではない可能性があるかを示し得る。いくつかの例では、過去のシグナリング観測値が、様々な測定された、またはさもなければ決定された信号特性、例えば、そのような信号品質、信号強度などを示し得る。従って、いくつかの事例では、該当する過去のシグナリング観測値に少なくとも部分的に基づいて、環境における１つもしくは複数の領域および／または推奨すべき１つもしくは複数の候補位置決定モードを決定することが有益であり得る。実際、いくつかの実施形態では、過去のシグナリング観測値が、少なくとも部分的に、開口部または構造の何らかの他の特徴のロケーションおよび／または考えられる方位を決定するために使用され得る。例えば、いくつかの事例では、過去のシグナリング観測値が、そうでなければ、いくつかの条件下でＳＰＳ信号が見通し直線（direct line-of-sight）を介してモバイルデバイスによって獲得される場合に通過する窓および／または他の同様の特徴のロケーションおよび／または方位を決定するために、ＳＰＳアルマナックなどとともに考慮され得る。
【００３４】
[0036]  同様に、例えば、該当する送信デバイスのいくつかの動作特性（例えば、識別情報、ロケーション、能力など）は、ほんの数例を挙げると、１つまたは複数のデバイスおよび／またはネットワーク設計文書における情報、そのような該当する送信デバイス自体または何らかの他の電子デバイスによってから取得された情報、サービスプロバイダからの情報などに少なくとも部分的に基づき得る。さらに、該当する送信デバイスのいくつかの動作特性および／または環境内のいくつかのシグナリング特性は、送信デバイスからワイヤレス信号を獲得していることまたは獲得することを試みていることがある１つまたは複数のモバイルデバイスによって収集された情報（例えば、様々な信号関連測定値、様々な時間および／または距離測定値など）に少なくとも部分的に基づき得る。
【００３５】
[0037]  また同様に、例えば、モバイルデバイス１０２のいくつかの動作特性（例えば、識別情報、能力、ユーザアカウント、選好、収集された過去データなど）は、ほんの数例を挙げると、１つまたは複数のデバイスおよび／またはネットワーク設計文書における情報、モバイルデバイス１０２自体または何らかの他の電子デバイスから取得された情報、サービスプロバイダからの情報、アカウントユーザからの情報などに少なくとも部分的に基づき得る。
【００３６】
[0038]  いくつかの例示的な実施形態では、支援サーバなどの電子デバイス１４０は、少なくとも１つの候補位置決定モードを示す情報を（例えば、通信リンク１４４を介して）１つまたは複数のモバイルデバイスに選択的に送信するように供給され得る。例えば、いくつかの事例では、候補位置決定モードは、そうでなければそのような情報を求める要求に応答して、例えば、１つもしくは複数のメッセージ、データファイルなど、またはそれらの何らかの組合せにおける１つのタイプの支援データ１４６としてモバイルデバイス１０２に送信され得る。いくつかの事例では、例えば、そのような支援データは、ほんの数例を挙げると、他の情報、例えば、電子マップ、ルーティング可能性グラフ、シグナリング関連可能性ヒートマップまたは無線マップなどを備え得る。
【００３７】
[0039]  いくつかの例示的な実施形態では、モバイルデバイス１０２からの要求は、モバイルデバイス１０２の初期推定位置決定（例えば、それの位置の概算推定、最後の既知の位置決定、推定緯度、推定経度、推定またはそうでなければ測定された高度、推定近接ノード、現在サービスしている、および／または最近サービスしているセルおよび／またはセルラー基地局、ユーザ入力などに対応する１つまたは複数の指示）、モバイルデバイス１０２の初期推定コース（例えば、それの速度および／または方向の概算推定、慣性センサーベースの動き、コンパスの読取り値などに対応する１つまたは複数の指示）を示し得る。いくつかの事例では、モバイルデバイス１０２のそのような初期推定位置決定および／または初期推定コースが、モバイルデバイス１０２によって単独で、またはもしかすると１つもしくは複数の他の電子デバイス(例えば、もしかするとネットワーク１２０／１３０などの中にある）からの支援を受けて決定されていることがある。
【００３８】
[0040]  いくつかの例示的な実施形態では、モバイルデバイス１０２からの要求が、モバイルデバイスによって収集された１つまたは複数の初期ワイヤレス信号観測値を示し得る。ここで、例えば、モバイルデバイス１０２は、それの隣接周囲から１つまたは複数の初期ワイヤレス信号観測値(例えば、測定された信号特性など）を収集し、それの何らかの指示を、候補位置決定モードを備える支援データを求める要求の中に含め得る。従って、例示的な電子デバイス１４０は、そのような初期ワイヤレス信号観測値を、少なくとも部分的には、もしかするとモバイルデバイスの初期推定位置決定および／または初期推定コースを決定する際に考慮でき、例えば、その知識は、モバイルデバイスに関するより有用とみられる候補位置決定モードおよび／または環境の対応する領域を選択する際に有用であり得る。モバイルデバイスの初期推定位置決定および／または初期推定コースのソースに関係なく、いくつかの例示的な実施形態では、電子デバイス１４０が、特定のモバイルデバイスに関する候補位置決定モードを、モバイルデバイスの初期推定位置決定、モバイルデバイスの初期推定コースなど、またはそれらの何らかの組合せに少なくとも部分的に基づいて選択できる。
【００３９】
[0041]  いくつかの事例では、例えば、候補位置決定モードおよび／または他の支援データが、環境の１つまたは複数の（該当する）識別された領域を示し得る。例として、いくつかの事例では、候補位置決定モードおよび／または他の支援データが、環境の少なくとも１つの識別された領域の少なくとも一部分に対応するジオフェンス境界（例えば、マップ座標、距離など）を示し得る。例として、いくつかの事例では、領域が、１つもしくは複数の構造特徴関連識別子（例えば、建物、建物の特定の部分および／もしくはフロア、特定の部屋などを識別する）、ノード関連識別子（例えば、マップ上の点もしくは部分、相互接続された点もしくは部分の格子もしくは他の同様のパターン、ルーティング可能性グラフ、可能性ヒートマップ、もしくはユーマップ（you map）などに対応する）、環境関連識別子（例えば、屋内環境、屋外環境、電磁シールド環境もしくは電磁非シールド環境、特定の企業、サービスもしくはエンティティに関係する環境など）など、またはそれらの何らかの組合せに少なくとも部分的に基づいて識別され得る。いくつかの事例では、例えば、領域が、ロケーションコンテキスト識別子（ＬＣＩ）、環境の特定の部分などに対応するもの、いくつかの事例で１つまたは複数のロケーションベースのサービスなどに関連付けられるものなどに少なくとも部分的に基づいて識別され得る。ＬＣＩは、例えば、建物の構造、特定の建物のフロア全体、または異なる建物の様々な翼を表し得る。単一の間取り図にインデックスを付けた単一のＬＣＩを有する建物もあれば、異なる論理部分建物にそれぞれ対応する複数のＬＣＩを有する建物もある。
【００４０】
[0042]  いくつかの例示的な実施形態では、モバイルデバイス１０２からの要求が、少なくとも部分的に、少なくとも１つの候補位置決定モードに対応する情報とともに、注釈された電子マップを求める要求を示し得る。
【００４１】
[0043]  いくつかの例示的な実施形態では、候補位置決定モードおよび／または他の支援データが、１つまたは複数の条件付き属性(conditional attributes)を示すことができ、１つまたは複数の条件付き属性は、何らかの形で、特定の候補位置決定モード、１つもしくは複数の識別された領域、１つもしくは複数の地上ベース送信デバイス(ＡＰ１２２、ＴＤ１３２）、１つもしくは複数の衛星ベース送信デバイス(ＳＶ１１２）、モバイルデバイス１０２など、またはそれらの何らかの組合せに対応し得る。例えば、条件付き属性は、特定の候補位置決定モードを使用することの提案が、時間期間、日付、曜日、時間、大気条件などに基づいて条件付けられ得ることを示し得る。例として、いくつかの状況で、地上ベース送信デバイスは、それの送信電力レベルを変更することがあり、時にはそのような送信デバイスによって送信されたワイヤレス信号を獲得するモバイルデバイスの能力に影響を与える場合がある。例えば、ワイヤレス通信ネットワークの事業者は、例えば、電力使用量を低減するために、いくつかの時間期間中に１つまたは複数のアクセスポイントデバイスの送信電力レベルを低減し得る。別の例では、特定の地上ベースおよび／衛星ベース送信デバイスがサービスなどについてオフラインであることがあり、ゆえに条件付き属性がいくつかの時間期間中にワイヤレス信号を送信しないことがあることを示し得る。
【００４２】
[0044]  別の例では、１つまたは複数の条件付き属性が、モバイルデバイスとのワイヤレス信号の交換の前におよび／または交換の一部として満たされ、および／または確認される必要があり得るいくつかの動作および／またはセキュリティ関連態様(security-related aspects)を含み得る。ここで、例えば、いくつかのワイヤレス通信ネットワークは、それの送信デバイスのうちの１つまたは複数へのアクセスを制限し得るいくつかのセキュリティプロトコルを実施できる。また別の例では、条件付き属性が、いくつかの状況でモバイルデバイス１０２にとって必要または有益であることがわかり得るいくつかの能力を示し得る。例えば、条件付き属性は、特定の送信機および／または受信機の能力、アンテナ利得などを備えるモバイルデバイスにとって、ある候補位置決定モードがより有益である(またはもしかするとさほど有益でない）ことがわかり得ることを示し得る。同様に、条件付き属性は、適切な動作リソース、例えば十分な処理能力、十分なメモリ、十分な電力蓄積などを備えるモバイルデバイスにとって、ある候補位置決定モードがより有益である(またはもしかするとさほど有益でない）ことがわかり得ることを示し得る。また別の例では、候補位置決定モードがモバイルデバイスの他の考えられる動作モード、例えば、緊急動作モード、空港モード、蓄積電力モードなどと衝突する可能性(または衝突しない可能性）があるかどうかを１つまたは複数の条件付き属性が示し得る。
【００４３】
[0045]  いくつかの例示的な実施形態では、候補位置決定モードおよび／または環境の１つもしくは複数の領域が、特定の送信デバイスおよび／またはそれの該当するネットワーク／サービスに対応するサービス関連識別子などに少なくとも部分的に基づいて選択されること、および／またはそうでなければ決定されることがあり得る。従って、いくつかの事例では、第１のサービス関連識別子が、地上ベース送信デバイスに対応でき、そのような識別子に少なくとも部分的に基づいて、送信デバイスの動作および／またはそれの該当するネットワーク／サービスに関連するいくつかの態様は、屋内識別可能と決定されることがあり、そのような情報は、候補位置決定モードおよび／または特定の領域の選択に影響を与え得る。例えば、第１のサービス関連識別子は、特定の地上ベース送信デバイスを、既知のまたは決定可能なロケーションおよび／または動作能力を有するものとして区別し得る。同様に、例えば、衛星ベース送信デバイス(例えば、ＳＶ）および／またはそれの該当するＳＰＳに対応する第２のサービス関連識別子は、そのようなＳＶ／ＳＰＳが、既知のまたは決定可能なロケーションおよび／または動作能力を有していると区別し得る。明らかに、そのような特徴的な特性および／または他の同様の識別可能もしくはもしかすると仮定可能な動作特性は、少なくとも部分的に、候補位置決定モードおよび／または対応する領域を選択する際に考慮に入れられ得る。
【００４４】
[0046]  いくつかの例示的な実施形態では、候補位置決定モードおよび／または環境の１つもしくは複数の領域が、特定のモバイルデバイスおよび／またはそのようなモバイルデバイスに配分された特定のサービス、特定のタイプのモバイルデバイスおよび／またはそのようなモバイルデバイスに配分された特定のタイプのサービスなどに対応するモバイルデバイス能力関連識別子(mobile device capability related identifier)に少なくとも部分的に基づいて選択されること、および／またはそうでなければ決定されることがあり得る。例えば、モバイルデバイス能力関連識別子は、モバイルデバイスのタイプ、モバイルデバイスに関連する１つまたは複数のサービスプロバイダ、モバイルデバイスに関連するユーザアカウント、モバイルデバイスの１つまたは複数の能力などを示し得る。いくつかの事例では、モバイルデバイス能力関連識別子が、考えられる条件付き属性を表すこと、および／またはそうでなければ考えられる条件付き属性として考慮に入れられることがあり得る。いくつかの事例では、モバイルデバイス能力関連識別子が、候補位置決定モードを備える支援データを求める要求を介して取得され得る。
【００４５】
[0047]  次に図２に注目すると、図２は、電子デバイス１４０とモバイルデバイス１０２との間並びに電子デバイス１４０と１つまたは複数の他のモバイルデバイス２０２との間の例示的な情報フロー２００において示している。
【００４６】
[0048]  この例では、１つまたは複数の他のモバイルデバイス２０２が、様々なときに、例えば、特定の環境に関する、過去のナビゲーション観測値(historical navigation observations)および／または過去のシグナリング観測値(wireless signaling observations)を示し得る１つまたは複数のメッセージ２０４を送信し得る。いくつかの実施形態では、メッセージ２０４が、電子デバイス１４０が環境内の該当領域、および／またはその中での考えられる有益な使用のための１つもしくは複数の候補位置決定モードを決定するのを支援する目的で複数のモバイルデバイスが加わり得るクラウドソーシングおよび／または他の同様の取組みを表し得る。いくつかの例示的な実施形態では、環境内の該当領域および／またはその中での考えられる使用のための１つもしくは複数の候補位置決定モードが、１つまたは複数のモバイルデバイスを使用して意図的な調査（例えば、手作業で調査）中に収集された観測値に少なくとも部分的に基づいて決定され得る。例として、電子デバイス１４０は、例示的なブロック２０８において、環境内の１つもしくは複数の領域を（少なくとも部分的に）決定し、および／または例示的なブロック２１０において、１つもしくは複数の候補位置決定モードを（少なくとも部分的に）決定できる。
【００４７】
[0049]  いくつかの例示的な実施形態によれば、クラウドソーシングおよび／または他の同様の取組みは、特定の領域および／または候補位置決定モードを識別する際に有益であり得る様々なタイプの情報を収集し、分析し、モデル化し、および／またはそうでなければ処理できる。例として、いくつかの事例では、クラウドソーシングの取組みが、報告側モバイルデバイスの推定位置、報告側モバイルデバイスの成功および／もしくは失敗した位置決定モードモード(例えば、モード識別子、成功もしくは失敗識別子、特定の設定など）、時間情報(例えば、日付、ある日における時間など）、検出された送信デバイスの識別情報(例えば、ＭＡＣアドレスなど）、獲得されたワイヤレス信号に関連する様々な測定値(例えば、信号強度測定値、周波数測定値、位相測定値、往復時間測定値など）、送信デバイスから送信された情報(例えば、報告された送信電力など）など、またはそれらの何らかの組合せを収集すること、および／またはそうでなければ考慮し得る。いくつかの例示的な実施形態では、いくつかの獲得された信号測定値と決定された位置との間の適合性を考慮する（例えば、記録し、分析する）ことがある。いくつかの例示的な実施形態では、クラウドソーシングの取組みが、報告された数の可視のＳＶ、１つまたは複数のＳＶ送信ワイヤレス信号に関する信号対雑音比、１つまたは複数の擬似距離(例えば、モバイルデバイスからＳＶまでの）、１つまたは複数の位置不確実性測定値／推定値などを収集すること、および／またはそうでなければ考慮し得る。
【００４８】
[0050]  いくつかの例示的な実施形態では、クラウドソーシングの取組みが、いくつかの条件下で候補位置決定モードのさらなる改良を可能にするのに十分な見通し(insight）を提供し得る。例として、いくつかの事例では、候補位置決定モードが、単に特定のワイヤレス信号送信デバイスおよび／または１つもしくは複数の対応するネットワーク／システムを推奨することにとどまらず、送信デバイスの特定のセットに関して、往復時間(ＲＴＴ）ベースの測位技法でなく受信信号強度指示(ＲＳＳＩ）ベースの測位技法、またはもしかするとＲＳＳＩベースの測位技法でなくＲＴＴベースの測位技法、またはもしかするとさらにそれらの特定の組合せの使用をさらに推奨できる。別の例では、候補位置決定モードがいくつかの実施形態で、例えば、送信されたワイヤレス信号が迅速に獲得されること、および／または十分に分散された(角度的に(angularly））送信デバイスのセットからのワイヤレス信号を考慮した結果として改善された測位精度を提供し得るいくつかのＳＶ１１２、ＡＰ１２２、ＴＤ１３２を識別することによって、例えば、ハイブリッド測位機能にとって特に有益であり得る特定のＳＰＳ１１０または１つもしくは複数のＳＰＳからの特定のＳＶ１１２を推奨することを含み得る。いくつかの例示的な実施形態では、いくつかのワイヤレス信号に対応する信号品質および／または待機パラメータが提供および／または報告され得る。
【００４９】
[0051]  例示的な情報フロー２００では、モバイルデバイス１０２が、候補位置決定モードを備える支援データ１４６を求める要求を示し得る１つまたは複数のメッセージ２０６を電子デバイス１４０に送信し得る。前述のように、いくつかの事例では、例示的な要求が、モバイルデバイス１０２の初期推定位置および／または初期推定コースを示し得る。いくつかの事例では、電子デバイス１４０がモバイルデバイス１０２の初期推定位置および／または初期推定コースを少なくとも部分的に推定することを可能にし得る１つまたは複数のシグナリング観測値を、例示的な要求が示し得る。いくつかの事例では、例示的な要求が、モバイルデバイス１０２、ユーザ、サービスプロバイダなどに対応する１つまたは複数の能力および／または他の特性を示し得る。
【００５０】
[0052]  前述のように、電子デバイス１４０は、例えばブロック２１０で環境の（ブロック２０８において決定された）１つまたは複数の領域において使用するための１つまたは複数の候補位置決定モードを、例えば、様々な要素および／または考慮事項に基づいて決定できる。述べたように、いくつかの候補位置決定モードは、いくつかの制約などに基づいて条件付きで推奨され得る。いくつかの例示的な実施形態では、候補位置決定モードおよび／またはそれの該当領域が、もしかすると全部または一部のモバイルデバイスなどによって使用されるように、例えば、十分に静的な過去の観測値および／または信頼できる予測に基づいて事前決定され得る。いくつかの例示的な実施形態では、候補位置決定モードおよび／またはそれの該当領域が、もしかすると１つまたは複数のモバイルデバイスなどによって使用されるように、例えば、タイムリーな過去の観測値、要求において取得された特定の情報、特定のモバイルデバイスまたは複数のモバイルデバイスに関するいくつかの仮定に基づいて動的に決定され得る。
【００５１】
[0053]  いくつかの事例では、モバイルデバイス１０２が必ずしも電子デバイス１４０に要求を提供するとはとは限らないことに留意されたい。代わりに、いくつかの事例では、電子デバイス１４０が、要求なしに１つまたは複数のモバイルデバイスに支援データ１４６を提供する、例えば、そのような支援データを時々(例えば、もしかすると、スケジュール、周期性、更新サイクルなどに従って）、１つもしくは複数のイベントの発生(例えば、識別された領域の変化、推奨された候補位置決定モードの変化、１つもしくは複数の条件付き理由など）などがあったとき、またはそれらの何らかの組合せにより提供するタスクを課せられ得る。
【００５２】
[0054]  このことを念頭に置いて、例示的な情報フロー２００で、電子デバイス１４０は、候補位置決定モードを備える支援データ１４６を示す１つまたは複数のメッセージ２１２をモバイルデバイス１０２に送信できる。前述のように、いくつかの事例では、候補位置決定モードが、それの対応する領域および／またはそれの使用可能性に対応する他の条件付き情報を示し得る。前述のように、いくつかの事例では、支援データ１４６が、特に環境１０８に関してモバイルデバイス１０２にとって有用であり得る追加情報(例えば、電子マップなど）を備え得る。
【００５３】
[0055]  例示的な情報フロー２００に示すように、例示的なブロック２１４では、モバイルデバイス１０２が、支援データ１４６において取得された情報に少なくとも部分的に基づいて、１つまたは複数の測位機能に影響を与え得る。例として、装置１０４およびモバイルデバイス１０２は、支援データ１４６によって示された候補位置機能(candidate position function)に少なくとも部分的に基づいて、測位機能に影響を与え得る。
【００５４】
[0056]  例示的な情報フロー２００にさらに示すように、いくつかの例示的な実施形態では、モバイルデバイス１０２がその後、例えば、支援データ１４６の全部または一部に関するフィードバックを提供すること、いくつかの過去のナビゲーション観測値を報告すること、いくつかの過去のシグナリング観測値を報告すること、他の支援データを要求することなどのために、１つまたは複数のメッセージ２１６を電子デバイス１４０に送信できる。従って、いくつかの事例では、電子デバイス１４０が、ブロック２０８／２１０によって表される機能に影響を与えることができ、メッセージ２１６によって取得されたフィードバックおよび／または他の同様の情報に基づいて、環境内の特定の領域を識別し、その中での考えられる使用のための候補位置機能モードを決定できる。さらに、いくつかの実施形態では、モバイルデバイス１０２からの１つまたは複数のメッセージ２１６に応答して、電子デバイス１４０が、例えば、メッセージ２１６を介して取得されたフィードバックに少なくとも部分的に基づいて決定および／または選択された、１つまたは複数の新たに決定された候補位置決定モードおよび／または他の推奨される候補位置決定モードを示す１つまたは複数の追加メッセージ２１２を送信できる。実施形態の設計の若干異なる変形形態では、フィードバックおよび／または他の同様の情報を備える１つまたは複数のメッセージ２１６がいくつかの事例で、時には、例えば、フィードバックおよび／または同様の情報に少なくとも部分的に基づいて決定および／または選択された、候補位置決定モードを備える新しい／追加の支援データを求める要求を表すと考えられ得る。
【００５５】
[0057]  次に図３に注目すると、図３は、代表的な電子デバイス１４０（例えば、図１参照）の装置１４２によって全体的または部分的に実施され得る例示的なプロセス３００を示す流れ図である。
【００５６】
[0058]  例示的なブロック３０２では、装置１４２が、モバイルデバイスによってナビゲート可能な環境の複数の領域を識別できる。例えば、前述のように、そのような領域は、例えば、特定のモバイルデバイスまたは特定のタイプのモバイルデバイス、該当する地上ベースおよび／または衛星ベース送信デバイス、環境１０８内の様々な態様の屋内特徴／特性、様々なモバイルデバイスからの過去の／クラウドソーシングされたフィードバック／情報などに関係し得る様々な要素に基づいて識別され得る。前述のように、いくつかの事例では、ブロック３０２が、１つまたは複数の候補位置決定モードを備える支援データを求める特定の要求の前に、または特定の要求に応答して行われ得る。
【００５７】
[0059]  例示的なブロック３０４では、装置１４２が、複数の領域のうちの少なくとも１つのためにモバイルデバイスによって使用される候補位置決定モードを決定できる。例えば、前述のように、候補位置決定モードは、例えば、特定のモバイルデバイスまたは特定のタイプのモバイルデバイス、該当する地上ベースおよび／または衛星ベース送信デバイス、様々なモバイルデバイスからの過去の（そうでなければクラウドソーシングされた）フィードバック／情報などに関係し得る様々な要素に基づいて決定され得る。前述のように、いくつかの事例では、ブロック３０４が、１つまたは複数の候補位置決定モードを備える支援データを求める特定の要求の前に、または特定の要求に応答して行われ得る。
【００５８】
[0060]  例示的なブロック３０６では、装置１４２が、例えば、ブロック３０４において識別されるような、少なくとも１つの候補位置決定モードを少なくとも示し得る支援データをモバイルデバイスに送信、または送信を開始し得る。述べたように、いくつかの事例では、支援データが、モバイルデバイスにとって有益であり得る追加情報を備え得る。さらに、いくつかの事例では、候補位置決定モードが、例えば、ブロック３０２で識別されるような、それの該当領域を示すことができる。またさらに、いくつかの事例では、例えば、モバイルデバイスに関して、現在の位置、最後の既知の位置、概算ロケーション、予想されるターゲットまたは将来のロケーションなどを示し得る、支援データを求める特定の要求に応答して、候補位置決定モードが単独で、またはそうでなければ他の支援データとともにモバイルデバイスに提供され得る。さらに他の事例では、特定の要求を受信して、または受信せずに、注釈された電子マップなどを介してモバイルデバイスに候補位置決定モードが提供され得る。
【００５９】
[0061]  随意(optional)である例示的なブロック３０８によって示されるように、少なくとも１つのモバイルデバイスが識別され得る。ここでは、例えば、例えばブロック３０６を介して支援データを受信することになるモバイルデバイスが識別され得る。従って、例えば、モバイルデバイスがブロック３０８で一意の識別子または他の同様の識別子によって識別され得る。従って、例えば、モバイルデバイスがブロック３０８でそれの能力（例えば、測位機能能力、ワイヤレス信号受信／送信能力、データ処理能力、データ記憶能力など）のうちの１つまたは複数によって識別され得る。一例では、モバイルデバイスがブロック３０８でそれの現在の位置、予想される位置などによって識別され得る。また別の例では、モバイルデバイスがブロック３０８でモバイルデバイスから取得された要求に少なくとも部分的に基づいて識別され得る。従って、いくつかの事例では、ブロック３０８でのモバイルデバイスの識別が、例示的なブロック３０２および／または３０４において考慮に入れられ得る。
【００６０】
[0062]  ここで図４に注目すると、図４は、次に、電子デバイス１４０、および／またはその中に設けられた装置１４２の一部として提供され得る例示的なコンピューティングプラットフォーム４００のいくつかの特徴を示す概略ブロック図である。
【００６１】
[0063]  図示のように、コンピューティングプラットフォーム４００は、１つまたは複数の接続４０６（例えば、１つまたは複数の電気導体、１つまたは複数の導電性経路、１つまたは複数のバス、１つまたは複数の光ファイバ経路、１つまたは複数の回路、１つまたは複数のバッファ、１つまたは複数の送信機、１つまたは複数の受信機など）を介してメモリ４０４に結合された（例えば、本明細書で提供される技法に従ってデータ処理を行うための、装置１０４）１つまたは複数の処理ユニット４０２を備え得る。処理ユニット４０２は、例えば、ハードウェアまたはハードウェアとソフトウェアとの組合せで実施され得る。処理ユニット４０２は、データコンピューティング手順またはプロセスの少なくとも一部分を行うように構成可能な１つまたは複数の回路を表し得る。限定ではなく、例として、処理ユニットが、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００６２】
[0064]  メモリ４０４は任意のデータ記憶機構を表し得る。メモリ４０４は、例えば、１次メモリ４０４−１および／または２次メモリ４０４−２を含み得る。１次メモリ４０４−１は、例えば、ランダムアクセスメモリ、読取り専用メモリなどを備え得る。この例で処理ユニットとは別個のものとして示されているが、１次メモリの全部または一部は、電子デバイス１４０内の処理ユニット４０２もしくは他の同様の回路内に設けられるか、またはそうでなければそのような回路と共設／結合され得ることを理解されたい。２次メモリ４０４−２は、例えば、１次メモリと同じもしくは同様のタイプのメモリ、および／または、例えば、ディスクドライブ、光ディスクドライブ、テープドライブ、固体動き状態メモリドライブなどのような、１つもしくは複数のデータ記憶デバイスもしくはシステムを備え得る。
【００６３】
[0065]  いくつかの実施形態では、２次メモリが、非一時的コンピュータ可読媒体４２０を動作可能に受容するか、またはそうでなければそれに結合するように構成可能であり得る。メモリ４０４および／または非一時的コンピュータ可読媒体４２０は、例えば、本明細書で提供されるような適用可能技法に従って、データ処理を行う際に使用するための命令４２２を備え得る。
【００６４】
[0066]  コンピューティングプラットフォーム４００は、例えば、１つまたは複数のネットワークインターフェースユニット４０８をさらに備え得る。ネットワークインターフェースユニット４０８は、例えば、１つまたは複数の受信機４１０と１つまたは複数の送信機４１２とによってここで表される１つまたは複数のワイヤードおよび／またはワイヤレスネットワークインターフェースユニットを備え得る。いくつかの実施形態では、ネットワークインターフェースユニット４０８が、１つまたは複数のトランシーバなどを備え得ることを理解されたい。さらに、図示されないが、ネットワークインターフェースユニット４０８は、ネットワークインターフェースユニット機能／能力を前提として、適用可能な場合、１つもしくは複数のアンテナおよび／または他の回路を備え得ることを理解されたい。
【００６５】
[0067]  いくつかの例示的な実施形態によれば、例えば、ネットワークインターフェースユニット４０８が、例えば、電話システム、ローカルエリアネットワーク、広域ネットワーク、パーソナルエリアネットワーク、イントラネット、インターネットなどのような、様々なワイヤード通信ネットワークと一緒での使用のためにイネーブルされ得る。
【００６６】
[0068]  いくつかの例示的な実施形態によれば、ネットワークインターフェースユニット４０８が、例えば、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）などのような様々なワイヤレス通信ネットワークと一緒での使用のためにイネーブルされ得る。「ネットワーク」および「システム」という用語は、本明細書で同義に使用され得る。ＷＷＡＮは、符号分割多元接続(ＣＤＭＡ）ネットワーク、時分割多元接続(ＴＤＭＡ）ネットワーク、周波数分割多元接続(ＦＤＭＡ）ネットワーク、直交周波数分割多元接続(ＯＦＤＭＡ）ネットワーク、シングルキャリア周波数分割多元接続(ＳＣ−ＦＤＭＡ）ネットワークなどであり得る。ＣＤＭＡネットワークは、ほんのいくつかの無線技術を挙げれば、ｃｄｍａ２０００、広帯域ＣＤＭＡ(Ｗ−ＣＤＭＡ(登録商標））、時分割同期符号分割多元接続(ＴＤ−ＳＣＤＭＡ）などの１つまたは複数の無線アクセス技術(ＲＡＴ）を実施し得る。ここで、ｃｄｍａ２０００は、ＩＳ−９５規格、ＩＳ−２０００規格、およびＩＳ−８５６規格に従って実施される技術を含み得る。ＴＤＭＡネットワークは、モバイル通信用グローバルシステム(ＧＳＭ(登録商標）：Global System for Mobile Communications）、デジタルアドバンストモバイルフォンシステム(Ｄ−ＡＭＢＰ：Digital Advanced Mobile Phone System能力）、または何らかの他のＲＡＴを実施し得る。ＧＳＭおよびＷ−ＣＤＭＡは、「第３世代パートナーシッププロジェクト」(３ＧＰＰ：3rd Generation Partnership Project）と称する団体からの文書に記載されている。ｃｄｍａ２０００は、「第３世代パートナーシッププロジェクト２」(「３ＧＰＰ２」）と称する団体からの文書に記載されている。３ＧＰＰおよび３ＧＰＰ２の文書は公に入手可能である。例えば、ＷＬＡＮは、ＩＥＥＥ８０２．１１ｘネットワークを含み得、ＷＰＡＮは、Ｂｌｕｅｔｏｏｔｈ(登録商標）ネットワーク、ＩＥＥＥ８０２．１５ｘを含み得る。ワイヤレス通信ネットワークは、例えば、ロングタームエボリューション(ＬＴＥ：Long Term Evolution）、アドバンストＬＴＥ、ＷｉＭＡＸ(登録商標）、ウルトラモバイルブロードバンド(ＵＭＢ：Ultra Mobile Broadband）などのような、いわゆる次世代技術(例えば、「４Ｇ」）を含み得る。さらに、さらに、ネットワークインターフェースユニット４０８は、１つまたは複数の他のデバイスとの赤外線ベース通信をさらに提供し得る。ＷＬＡＮは、例えば、ＩＥＥＥ８０２．１１ｘネットワークを備え得、ＷＰＡＮは、例えば、Ｂｌｕｅｔｏｏｔｈネットワーク、ＩＥＥＥ８０２．１５ｘを備え得る。本明細書で説明したワイヤレス通信の実施形態はまた、ＷＷＡＮ、ＷＬＡＮまたはＷＰＡＮの任意の組合せとともに使用され得る。
【００６７】
[0069]  電子デバイス１４０は、例えば、１つまたは複数の入出力ユニット４１４をさらに備え得る。入出力ユニット４１４は、１つもしくは複数の他のデバイスおよび／またはユーザから入力を取得し、並びに／あるいは１つもしくは複数の他のデバイスおよび／またはユーザに出力を与えるために使用され得る、１つもしくは複数のデバイスまたは他の同様の機構を表し得る。従って、例えば、入出力ユニット４１４は、１つまたは複数のユーザ入力を受信するために使用され得る様々なボタン、スイッチ、タッチパッド、トラックボール、ジョイスティック、タッチスクリーン、キーボードなどを備え得る。いくつかの事例では、入出力ユニット４１４が、ユーザのための視覚出力、可聴出力、および／または触覚出力を生成する際に使用され得る様々なデバイスを備え得る。例えば、入出力ユニット４１４は、ディスプレイ機構上で、ビデオディスプレイ、グラフィカルユーザインターフェースなどを提示するために使用され得る。
【００６８】
[0070]  図示のように、本明細書で提供される様々な例では、支援データがいくつかの例示的な実施形態で、モバイルデバイスによってナビゲート可能な環境の１つまたは複数の領域のための１つまたは複数の位置決定モードをさらに表し得る。いくつかの事例では、支援データが環境の少なくとも一部分に対応する電子マップを備え得る。ここで、電子マップは、ルーティング可能性グラフ、プレゼンテーションマップ、無線ヒートマップなど、またはそれらの何らかの組合せを備え得る。いくつかの事例では、支援データが、例えば、電子マップの少なくとも一部分に対応し得る１つまたは複数の注釈ファイルを同様のものの中に、あるいは同様のものを備え得る。いくつかの例示的な実施形態では、候補位置決定モードが、例えば、電子マップ内で識別可能であり得る１つまたは複数の測位ノードに対応し得る。いくつかの事例では、支援データが、例えば、特定の候補位置決定モードを、そのような候補位置決定モードに割り当てられ得る識別子を介して示し得る。
【００６９】
[0071]  なおさらなる例として、モバイルデバイスが搭載測位(onboard positioning）を提供し、モバイルデバイスが建物の内部にある例示的な場合について考えたい。この場合、モバイルデバイス中に設けられた測位エンジンなどは、例えば、建物の見込みフロアが選択されると、粒子フィルタにおいてＷｉＦｉ(登録商標）  ＲＳＳＩおよび距離測定を使用できる。ここでは、例えば、電子マップが、例えば、ある距離でノードが離間するように(いくつかの他の実施形態では、必ずしも互いに均一に離間するとは限らないノードが提供され得ることに留意されたい）、交差線にノードを有する格子を備え得る。さらに、フロアの見込み高度が既知であり得ると想定したい。ＲＳＳＩおよび距離ヒートマップは、例えば、各ノードにおける中間値と標準偏差とを明示でき、測位機能は、例えば、予想測定値と受信測定値との間の差関数に基づいて、測定尤度を計算できる。そのような例示的な実施形態にＳＰＳが追加される場合、各ノードにおいて、衛星位置が既知であるか、またはそうでなければ決定可能であるので、予想距離が計算され得る。従って、例えば測定尤度を決定するために、測定された擬似距離と予想距離が比較され得る。モバイルデバイスとＳＶとの間のクロックオフセットが追跡されることもある。支援データは、例えば、モバイルデバイスが、例えば見込みＬＣＩまたはフロアを決定すると、モバイルデバイスに提供され得る。いくつかの事例では、そのような支援データが、該当する送信デバイスに関するヒートマップなど、プレゼンテーションマップ、ルーティング可能性グラフなどを備え得る。ＳＰＳが考慮されるように追加された場合、そのような支援データは、そのような電子マップのうちの１つまたは複数、１つまたは複数の注釈ファイルなどにおいて特定の候補位置決定モードを示し得る。いくつかの事例では、候補位置決定モードが、ノードごとの単位、またはもしかするとノードのグループ単位などで特定され得る。例えば、いくつかの事例では、候補位置決定ノードが、第１のノード、またはもしかすると第１のグループがノードのセットなどである場合、ＷｉＦｉ限定位置決定モードが推奨されることと、第２のノード、またはもしかすると第２のグループがノードのセットなどである場合、混合モード、例えば、もしかするとＷｉＦｉ／ＧＮＳＳ位置決定モードが推奨され得ることとを示し得る。実際、いくつかの事例では、外部電子デバイスによって推奨される候補位置決定モードを示すためにノードごと、ノードのグループなどの単位で識別子が提供され得る。例えば、いくつかの事例では、ノードごと、ノードのグループ、識別可能な部分的領域などで候補位置決定モードを示すために、１つまたは複数の電子マップなどにおいて、いくつかの数のビットまたは他の同様のインジケータの確保、提供、追加、注釈などが行われ得る。例えば、３ビットインジケータが、例えば、ほんの数例を挙げると、ＷｉＦｉ  ＲＳＳＩ限定、ＷｉＦｉ  ＲＳＳＩ＋ＲＴＴ、ＷｉＦｉ  ＲＴＴ＋ＧＮＳＳ  ＲＴＴなどのような様々な候補位置決定モードを示すために、ノードに適用され得る。
【００７０】
[0072]  本明細書で提供される例示的な技法は、様々な異なる電子デバイス、モバイルデバイス、送信デバイス、環境、位置決定モードなどに関して適合され得る。
【００７１】
[0073]  本明細書で説明する技法は、特定の特徴および／または例に従ってアプリケーションに応じて様々な手段によって実施され得る。例えば、そのような方法は、ソフトウェアとともにハードウェア、ファームウェア、および／またはそれらの組合せで実施され得る。ハードウェア実施の場合、例えば、処理ユニットは、１つもしくは複数の特定用途向け集積回路(ＡＳＩＣ）、デジタル信号プロセッサ(ＤＳＰ）、デジタル信号処理デバイス(ＤＳＰＤ）、プログラマブル論理デバイス(ＰＬＤ）、フィールドプログラマブルゲートアレイ(ＦＰＧＡ）、プロセッサ、コントローラ、マイクロコントローラ、マイクロプロセッサ、電子デバイス、本明細書で説明する機能を行うように設計された他のデバイスユニット、および／またはそれらの組合せの中で実施され得る。
【００７２】
[0074]  上記の詳細な説明では、特許請求する主題の完全な理解を与えるために多数の具体的な詳細が記載されている。しかしながら、特許請求する主題は、これらの具体的な詳細を伴わずに実施され得ることが当業者には理解されよう。他の事例において、特許請求する主題を不明瞭にしないために、当業者に既知であろう方法および装置は詳細に説明されていない。
【００７３】
[0075]  上記の詳細な説明のいくつかの部分は、特定の装置または専用コンピューティングデバイスまたはプラットフォームのメモリ内に記憶された２値デジタル電子信号の演算のアルゴリズムまたは記号表現に関して提示された。この特定の明細書の文脈では、特定の装置などの用語が、プログラムソフトウェアからの命令に従って特定の機能を行うように一旦プログラムされた汎用コンピュータを含む。アルゴリズムの説明または記号表現は、信号処理または関連技術の当業者が各自の仕事の本質を他の当業者に伝達するために使用する技法の例である。アルゴリズムは、本明細書で、また一般に、所望の結果につながる自己矛盾のない一連の演算または同様の信号処理であると考えられる。この文脈では、演算または処理が物理量の物理的操作を伴う。必ずしもそうとは限らないが、一般に、電子信号は情報を表すので、そのような量は、記憶、転送、組合せ、比較、あるいは他の操作が可能な、電気信号または磁気信号の形態をとり得る。主に一般的な用法という理由で、そのような信号をビット、データ、値、要素、記号、文字、項、数、数字、情報などと呼ぶことは時々便利であることがわかっている。ただし、これらまたは同様の用語は全て、適切な物理量に関連付けられるべきものであり、便利なラベルにすぎないことを理解されたい。別段に動き明記されていない限り、以下の説明から明らかなように、本明細書全体にわたって、「処理する」、「算出する」、「計算する」、「決定する」、「生成する」、「取得する」、「修正する」、「選択する」、「識別する」などの用語を利用する説明は、専用コンピュータまたは同様の専用電子コンピューティングデバイスのような、特定の装置の動作または処理を指すことを諒解されたい。従って、本明細書の文脈では、専用コンピュータまたは同様の専用電子コンピューティングデバイスが、専用コンピュータまたは同様の専用電子コンピューティングデバイスのメモリ、レジスタ、もしくは他の情報記憶デバイス、送信デバイス、またはディスプレイデバイス内の電子的または磁気的な物理量として一般に表される信号を操作または変換することが可能である。この特定の特許出願の文脈では、「特定の装置」という用語が、プログラムソフトウェアからの命令に従って特定の機能を行うようにプログラムされた後の汎用コンピュータを含み得る。
【００７４】
[0076]  明細書で使用する「および」、「または」、および「および／または」という用語は、そのような用語が使用される文脈に少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、並びにここで排他的な意味で使用されるＡ、ＢまたはＣを意味するものとする。さらに、本明細書で使用する「１つまたは複数」という用語は、単数形の任意の特徴、構造、もしくは特性について説明するために使用され得るか、または複数の特徴、構造、もしくは特性、または特徴、構造、もしくは特性の何らかの他の組合せについて説明するために使用され得る。しかし、これは例示的な例にすぎないこと、および特許請求する主題がこの例に限定されないことに留意されたい。
【００７５】
[0077]  例示的な特徴であると現在考えられることについて例示し説明したが、特許請求する主題から逸脱することなく、様々な他の変更が行われ得、等価物が代用され得ることが、当業者には理解されよう。さらに、本明細書に記載の中心概念から逸脱することなく、特許請求する主題の教示に特定の状況を適合させるために多くの変更が行われ得る。
【００７６】
[0078]  従って、特許請求する主題は、開示した特定の例に限定されず、そのような特許請求する主題は、添付の特許請求の範囲の中に入る全ての態様、およびその均等物も含み得るものとする。
【図１】
2016517665.tif 000003
【図２】
2016517665.tif 000004
【図３】
2016517665.tif 000005
【図４】
2016517665.tif 000006
【国際調査報告】
2016517665.tif 000007
2016517665.tif 000008
2016517665.tif 000009